【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
コンテンツを提供するコンテンツ提供装置とコンテンツを利用する１以上のコンテンツ利用装置でコンテンツ伝送のための通信を行なう通信システムであって、
コマンドの往復遅延時間に関する制限を課した第１の相互認証手続きを経て、コンテンツを要求するコンテンツ利用装置を前記コンテンツ提供装置に登録する登録手段と、
前記コンテンツ提供装置から前記コンテンツ利用装置へ伝送するコンテンツの圧縮処理を実行するコンテンツ変換手段と、
前記登録手段により登録された前記コンテンツ利用装置が前記コンテンツ提供装置にリモート・アクセスしてきたときに、コマンドの往復遅延時間に関する制限を課さない第２の相互認証手続きを経て、前記圧縮処理されたコンテンツを伝送する伝送手段と、
を具備する通信システム。
【請求項２】
コンテンツを要求するコンテンツ利用装置を、コマンドの往復遅延時間に関する制限を課した第１の相互認証手続きを経て登録する登録手段と、
コンテンツの圧縮処理を実行するコンテンツ変換手段と、
前記登録手段により登録された前記コンテンツ利用装置がリモート・アクセスしてきたときに、コマンドの往復遅延時間に関する制限を課さない第２の相互認証手続きを経て、前記圧縮処理されたコンテンツを伝送する伝送手段と、
を具備する通信装置。
【請求項３】
ＤＬＮＡプロトコルに従ってコンテンツ利用装置と通信を行なう通信装置であって、
コンテンツを要求するコンテンツ利用装置を、コマンドの往復遅延時間に関する制限を課した第１の相互認証手続きを経て登録する登録手段と、
前記登録手段により登録された前記コンテンツ利用装置がリモート・アクセスしてきたときに、コマンドの往復遅延時間に関する制限を課さない第２の相互認証手続きを経て、要求されたコンテンツを伝送する伝送手段と、
を具備する通信装置。
【請求項４】
前記登録手段は、前記第１の相互認証手続きに際し、ＩＰ（Ｉｎｔｅｒｎｅｔ  Ｐｒｏｔｏｃｏｌ）ルーターのホップ回数に関する制限をさらに課し、
前記伝送手段は、前記第２の相互認証手続きに際し、ＩＰルーターのホップ回数に関する制限をも課さない、
請求項２又は３のいずれかに記載の通信装置。
【請求項５】
前記登録手段は、登録するコンテンツ利用装置の台数を制限する、
請求項４に記載の通信装置。
【請求項６】
前記伝送手段は、前記登録手段に登録された正当なコンテンツ利用装置のうちコンテンツ伝送を許容する台数の上限を設定する、
請求項２乃至５のいずれかに記載の通信装置。
【請求項７】
前記伝送手段は、
前記第２の相互認証手続きを通じて前記コンテンツ利用装置の間で共有される交換鍵から生成される暗号鍵を用いてコンテンツを暗号化伝送する、
請求項６に記載の通信装置。
【請求項８】
前記第２の相互認証手続きを経たコンテンツ伝送が可能であるコンテンツには所定の伝送可能情報が付加されており、
前記伝送手段は、前記伝送可能情報が付加されていないコンテンツの伝送を禁止し、前記伝送可能情報が付加されているコンテンツについては前記伝送可能情報を伴わずに伝送する、
請求項２又は３のいずれかに記載の通信装置。
【請求項９】
コマンドの往復遅延時間に関する制限を課した第１の相互認証手続きを経て、前記伝送可能情報が付加されたままコンテンツを伝送する第２の伝送手段をさらに備える、
請求項８に記載の通信装置。
【請求項１０】
前記第２の伝送手段は、
前記第１の相互認証手続きを通じて１台のコンテンツ利用装置のみの間で共有される代行用の交換鍵から生成される暗号鍵を用いて前記伝送可能情報が付加されたままコンテンツを暗号化伝送し、
前記１台のコンテンツ利用装置が代行終了時に発行する破棄要求に応じて、前記代行用の交換鍵を破棄する、
請求項９に記載の通信装置。
【請求項１１】
前記伝送手段は、同じコンテンツを所定の台数以上のコンテンツ利用装置に同時に伝送しないようにする、
請求項２又は３のいずれかに記載の通信装置。
【請求項１２】
前記伝送手段は、前記第２の相互認証手続きを通じて伝送するコンテンツを暗号化する暗号鍵の生成に用いる交換の鍵を、コンテンツの伝送先となるコンテンツ利用装置毎に変えるとともに、暗号化伝送するコンテンツをコンテンツ利用装置毎に管理して、同じコンテンツを所定の台数以上のコンテンツ利用装置に同時に伝送しないようにする、
請求項２又は３のいずれかに記載の通信装置。
【請求項１３】
提供するコンテンツを記録する記憶部を備える、
請求項２又は３のいずれかに記載の通信装置。
【請求項１４】
前記伝送手段は、前記記憶部に記録してから所定時間が経過した後のコンテンツの伝送を許容する、
請求項１３に記載の通信装置。
【請求項１５】
コンテンツの圧縮処理を実行するコンテンツ変換手段をさらに備える、
請求項３に記載の通信装置。
【請求項１６】
前記圧縮処理は、Ｈ．２６４コーデックを用いて実行される、
請求項２、４乃至１５のいずれかに記載の通信装置。
【請求項１７】
前記圧縮処理はハードウェアにより実行される、
請求項２乃至１５のいずれかに記載の通信装置。
【請求項１８】
前記コンテンツ利用装置はモバイル端末である、
請求項２乃至１５のいずれかに記載の通信装置。
【請求項１９】
前記伝送手段はＬＡＮチップを含む、
請求項２又は３のいずれかに記載の通信装置。
【請求項２０】
ＤＬＮＡプロトコルに従いホーム・ネットワーク内に存在する前記コンテンツ利用装置と通信を行なう、
請求項２に記載の通信装置。
【請求項２１】
コンテンツを要求するコンテンツ利用装置を、コマンドの往復遅延時間に関する制限を課した第１の相互認証手続きを経て登録する登録ステップと、
コンテンツの圧縮処理を実行するコンテンツ変換ステップと、
前記登録ステップにより登録された前記コンテンツ利用装置がリモート・アクセスしてきたときに、コマンドの往復遅延時間に関する制限を課さない第２の相互認証手続きを経て、前記圧縮処理されたコンテンツを伝送する伝送ステップと、
を有する通信方法。
【請求項２２】
コンテンツ要求先となるコンテンツ提供装置に対し、コマンドの往復遅延時間に関する制限を課した第１の相互認証手続きを経て登録手続きを行なう登録手続手段と、
登録した後の前記コンテンツ提供装置にリモート・アクセスして、コマンドの往復遅延時間に関する制限を課さない第２の相互認証手続きを経て、圧縮処理されたコンテンツを受信するコンテンツ要求手段と、
を具備する通信装置。
【請求項２３】
前記登録手続手段による登録手続きでは、前記第１の相互認証手続きに際し、ＩＰルーターのホップ回数に関する制限がさらに課され、
前記コンテンツ要求手段によるコンテンツ要求時では前記第２の相互認証手続きに際し、ＩＰルーターのホップ回数に関する制限をも課されない、
請求項２２に記載の通信装置。
【請求項２４】
前記コンテンツ要求手段は、前記第２の相互認証手続きを通じて前記コンテンツ提供装置との間で共有される交換鍵から生成される暗号鍵を用いて暗号化されたコンテンツを受信する、
請求項２２に記載の通信装置。
【請求項２５】
前記第２の相互認証手続きを経たコンテンツ伝送が可能であるコンテンツには所定の伝送可能情報が付加されており、
コマンドの往復遅延時間に関する制限を課した第１の相互認証手続きを経て、前記伝送可能情報が付加されたままのコンテンツを要求する第２のコンテンツ要求手段をさらに備える、
請求項２２に記載の通信装置。
【請求項２６】
前記第２のコンテンツ要求手段は、
前記第１の相互認証手続きを通じて前記コンテンツ提供装置との間で共有される代行用の交換鍵から生成される暗号鍵を用いて暗号化された、前記伝送可能情報が付加されたコンテンツを受信して、前記コンテンツ提供装置を代行し、
前記コンテンツ提供装置の代行を終了するときに前記代行用の交換鍵の破棄要求を発行する、
請求項２５に記載の通信装置。
【請求項２７】
コンテンツ要求先となるコンテンツ提供装置に対し、コマンドの往復遅延時間に関する制限を課した第１の相互認証手続きを経て登録手続きを行なう登録手続ステップと、
登録した後の前記コンテンツ提供装置にリモート・アクセスして、コマンドの往復遅延時間に関する制限を課さない第２の相互認証手続きを経て、登圧縮処理されたコンテンツを受信するコンテンツ要求ステップと、
を有する通信方法。
【請求項２８】
ネットワーク経由でコンテンツを提供するための処理をコンピューター上で実行するようにコンピューター可読形式で記述されたコンピューター・プログラムであって、前記コンピューターを、
コンテンツを要求するコンテンツ利用装置を、コマンドの往復遅延時間に関する制限を課した第１の相互認証手続きを経て登録する登録手段、
コンテンツの圧縮処理を実行するコンテンツ変換手段、
前記登録手段により登録された前記コンテンツ利用装置がリモート・アクセスしてきたときに、コマンドの往復遅延時間に関する制限を課さない第２の相互認証手続きを経て、前記圧縮処理されたコンテンツを伝送する伝送手段、
として機能させるためのコンピューター・プログラム。
【請求項２９】
ネットワーク経由でコンテンツを要求するための処理をコンピューター上で実行するようにコンピューター可読形式で記述されたコンピューター・プログラムであって、前記コンピューターを、
コンテンツ要求先となるコンテンツ提供装置に対し、コマンドの往復遅延時間に関する制限を課した第１の相互認証手続きを経て登録手続きを行なう登録手続手段、
登録した後の前記コンテンツ提供装置にリモート・アクセスして、コマンドの往復遅延時間に関する制限を課さない第２の相互認証手続きを経て、圧縮処理されたコンテンツを受信するコンテンツ要求手段、
として機能させるためのコンピューター・プログラム。
【請求項３０】
コマンドの往復遅延時間に関する制限を課した第１の相互認証手続きを記述した第１のプログラム、及び、コマンドの往復遅延時間に関する制限を課さない第２の相互認証手続きを記述した第２のプログラムを記憶するプログラム記憶部と、
前記プログラム記憶部から読み出したプログラムを実行するプログラム実行部と、
前記プログラム実行部が前記第１のプログラムを実行したことを経て、コンテンツを要求するコンテンツ利用装置を示すコンテンツ利用装置識別情報を記憶するコンテンツ利用装置記憶部と、
コンテンツの圧縮処理を実行するコンテンツ変換部と、
前記コンテンツ利用装置記憶部にコンテンツ利用装置識別情報が記憶されたコンテンツ利用装置がリモート・アクセスしてきたときに、前記プログラム実行部が前記第２のプログラムを実行したことを経て、前記圧縮処理されたコンテンツを送信する送信部と、
を具備する通信装置。
【請求項３１】
前記コンテンツ変換部は、ＭＰＥＧ２、Ｈ２６４、又は、ＶＣ１アルゴリズムを備える、
請求項３０に記載の通信装置。
【請求項３２】
前記第１のプログラムで記述される第１の相互認証手続きは、ＩＰルーターのホップ回数に関する制限をさらに課し、
前記第２のプログラムで記述される第２の相互認証手続きは、ＩＰルーターのホップ回数に関する制限をも課さない、
請求項３０に記載の通信装置。
【請求項３３】
前記コンテンツ利用装置記憶部は、コンテンツ利用装置識別情報を記憶するコンテンツ利用装置の台数を制限する、
請求項３２に記載の通信装置。
【請求項３４】
前記送信部は、前記コンテンツ利用装置記憶部がコンテンツ利用装置識別情報を記憶するコンテンツ利用装置のうちコンテンツ伝送を許容する台数の上限を設定する、
請求項３０乃至３３のいずれかに記載の通信装置。
【請求項３５】
前記送信部は、
前記第２の相互認証手続きを通じて前記コンテンツ利用装置の間で共有される交換鍵から生成される暗号鍵を用いてコンテンツを暗号化伝送する、
請求項３４に記載の通信装置。
【請求項３６】
前記第２の相互認証手続きを経たコンテンツ伝送が可能であるコンテンツには所定の伝送可能情報が付加されており、
前記送信部は、前記伝送可能情報が付加されていないコンテンツの伝送を禁止し、前記伝送可能情報が付加されているコンテンツについては前記伝送可能情報を伴わずに伝送する、
請求項３０に記載の通信装置。
【請求項３７】
コマンドの往復遅延時間に関する制限を課した第１の相互認証手続きを経て、前記伝送可能情報が付加されたままコンテンツを伝送する第２の送信部をさらに備える、
請求項３６に記載の通信装置。
【請求項３８】
前記第２の送信部は、
前記第１の相互認証手続きを通じて１台のコンテンツ利用装置のみの間で共有される代行用の交換鍵から生成される暗号鍵を用いて前記伝送可能情報が付加されたままコンテンツを暗号化伝送し、
前記１台のコンテンツ利用装置が代行終了時に発行する破棄要求に応じて、前記代行用の交換鍵を破棄する、
請求項３５に記載の通信装置。
【請求項３９】
前記送信部は、同じコンテンツを所定の台数以上のコンテンツ利用装置に同時に伝送しないようにする、
請求項２８に記載の通信装置。
【請求項４０】
前記送信部は、前記第２の相互認証手続きを通じて伝送するコンテンツを暗号化する暗号鍵の生成に用いる交換の鍵を、コンテンツの伝送先となるコンテンツ利用装置毎に変えるとともに、暗号化伝送するコンテンツをコンテンツ利用装置毎に管理して、同じコンテンツを所定の台数以上のコンテンツ利用装置に同時に伝送しないようにする、
請求項２８に記載の通信装置。
【請求項４１】
提供するコンテンツを記録するコンテンツ記憶部を備え、
ことを特徴とする請求項２８に記載の通信装置。